(57)【特許請求の範囲】
【請求項１】
貫通孔を有するケースと、
このケースの前記貫通孔に挿入される軸部およびこの軸部の端部に設けられて前記ケースの外部に突出する頭部を有する操作部材と、
前記ケースのケース本体に一体に形成され、前記頭部を前記軸部の軸方向に沿って移動可能に保持するガイド保護部と、
前記ガイド保護部の外周を覆う軟質の材料で形成されたベゼルと、
を備えていることを特徴とするスイッチ装置。
【請求項２】
請求項１に記載のスイッチ装置において、前記ケースは、硬質の材料で形成されたケース本体と、このケース本体の外周面を覆う軟質の材料で形成されたベゼルとを備えていることを特徴とするスイッチ装置。
【請求項３】
請求項１または請求項２に記載のスイッチ装置において、前記ガイド保護部は、前記操作部材の前記頭部の外周面を覆う筒形状に形成されていることを特徴とするスイッチ装置。
【請求項４】
請求項１〜請求項３のいずれかに記載のスイッチ装置において、前記ガイド保護部の外周面には、前記ケース本体に対する前記ケース本体の外周面を覆うベゼルの剥離を防ぐためのアンダーカット形状をなす傾斜面に形成された抜止め部が形成されていることを特徴とするスイッチ装置。
【請求項５】
請求項１または請求項２に記載のスイッチ装置において、前記操作部材の前記頭部は、前記ケース本体側に位置する内側面にガイド溝が環状に形成され、前記ガイド保護部は、前記頭部の前記ガイド溝内に移動可能に挿入して前記頭部を保持する筒形状に形成されていることを特徴とするスイッチ装置。
【請求項６】
請求項１〜請求項５のいずれかに記載のスイッチ装置を備えていることを特徴とする時計。
【発明の詳細な説明】
【技術分野】
【０００１】
この発明は、腕時計などの電子機器に用いられるスイッチ装置およびそれを備えた時計に関する。
【背景技術】
【０００２】
例えば、腕時計においては、特許文献１に記載されているように、竜頭などの操作部材によって腕時計ケース内の時計モジュールをスイッチ操作して時刻修正などを行うスイッチ装置を備えたものが知られている。
【先行技術文献】
【特許文献】
【０００３】
【特許文献１】特開２０１２−１６３３４０号公報
【０００４】
このようなスイッチ装置の操作部材は、腕時計ケースの貫通孔に挿入された操作軸部と、この操作軸部の外端部に設けられて腕時計ケースの外部に位置する操作頭部とを有している。また、このスイッチ装置は、腕時計ケースの外部に位置する操作頭部を保護する保護部材を備えている。
【０００５】
この保護部材は、操作頭部の両側近傍に位置する腕時計ケースに設けられた一対の保護突起部と、これら一対の保護突起部の各先端部に跨って配置されて操作頭部の外端面を覆うガード部と、このガード部の一端部を一方の保護突起部の先端部に回転可能に取り付ける取付軸とを備えている。
【０００６】
このスイッチ装置では、操作部材の操作頭部を操作する際に、一対の保護突起部の一方に設けられた取付軸を中心にガード部を回転移動させて、操作頭部の外端面を開放させ、この状態で操作頭部を操作することにより、スイッチ操作を行っている。
【発明の概要】
【発明が解決しようとする課題】
【０００７】
このようなスイッチ装置では、一対の保護突起部の一方に設けられた取付軸を中心にガード部を回転移動させて、操作頭部の外端面を開放させる構成であるから、構造が複雑で、ガード部の開閉操作が面倒であるという問題があるほか、操作頭部の外端面を開放させた際に、ガード部が邪魔になるという問題もある。
【０００８】
この発明が解決しようとする課題は、簡単な構造で、操作部材を良好に保護することができるスイッチ装置およびそれを備えた時計を提供することである。
【課題を解決するための手段】
【０００９】
この発明は、貫通孔を有するケースと、このケースの前記貫通孔に挿入される軸部およびこの軸部の端部に設けられて前記ケースの外部に突出する頭部を有する操作部材と、前記ケースのケース本体に一体に形成され、前記頭部を前記軸部の軸方向に沿って移動可能に保持するガイド保護部と、前記ガイド保護部の外周を覆う軟質の材料で形成されたベゼルと、を備えていることを特徴とするスイッチ装置である。
【発明の効果】
【００１０】
この発明によれば、操作部材の頭部を移動可能に保持するガイド保護部をケースに対して設けるだけの簡単な構造で、操作部材の頭部が外部から衝撃を受けても、操作部材の頭部がその軸方向と直交する方向に変位するのをガイド保護部によって防ぐことができ、これにより衝撃による操作部材の軸部の曲がり変形や破損を確実に防ぐことができるので、操作部材を確実にかつ良好に保護することができる。
【図面の簡単な説明】
【００１１】
【図１】この発明を腕時計に適用した第１実施形態を示した拡大側面図である。
【図２】図１に示された腕時計のＡ−Ａ矢視における要部の拡大断面図である。
【図３】図１に示された腕時計のＢ−Ｂ矢視における要部の拡大断面図である。
【図４】この発明の第１実施形態における第１変形例を示した要部の拡大断面図である。
【図５】この発明を腕時計に適用した第２実施形態を示した要部の拡大断面図である。
【図６】この発明の第２実施形態における第２変形例を示した要部の拡大断面図である。
【発明を実施するための形態】
【００１２】
（第１実施形態）
以下、図１〜図３を参照して、この発明を腕時計に適用した第１実施形態について説明する。
この腕時計は、図１〜図３に示すように、腕時計ケース１を備えている。この腕時計ケース１は、ケース本体２とベゼル３とを有している。ケース本体２は、硬質の合成樹脂で形成され、その合成樹脂中に金属製の補強部材２ａを埋め込んだ構成になっている。ベゼル３は、ウレタン樹脂などの軟質の合成樹脂で形成され、ケース本体２の外周面にこれを覆って設けている。
【００１３】
この腕時計ケース１の上部開口部、つまりケース本体２の上部開口部には、図２に示すように、時計ガラス４が取り付けられている。また、この腕時計ケース１の下部、つまりケース本体２の下部には、裏蓋（図示せず）が取り付けられている。さらに、この腕時計ケース１の内部、つまりケース本体２の内部には、時計モジュール５が収納されている。この時計モジュール５は、回路基板などの時計機能に必要な各種の部品（図示せず）が組み込まれている。
【００１４】
また、この腕時計ケース１の側部には、図１〜図３に示すように、複数のスイッチ装置６が設けられている。このスイッチ装置６は、押釦スイッチであり、腕時計ケース１に設けられた貫通孔７にスライド可能に挿入された操作部材８を備えている。この場合、貫通孔７は、腕時計ケース１のケース本体２に設けられた小径孔７ａと、腕時計ケース１のベゼル３に設けられた大径孔７ｂとを有し、これらが段差状に形成されている。
【００１５】
操作部材８は、図２に示すように、腕時計ケース１の貫通孔７内にスライド可能に挿入される操作軸部９と、この操作軸部９の外端部に設けられて腕時計ケース１の外部に突出する操作頭部１０とを有し、これらが一体に形成された構成になっている。操作軸部９は、その内端部が腕時計ケース１のケース本体２の内部に突出し、外端部が腕時計ケース１のベゼル３内に位置する長さに形成されている。
【００１６】
この場合、操作軸部９は、図２に示すように、その内端部にＥリングなどの抜止め部材１１が取り付けられ、この抜止め部材１１がケース本体２の内面に接離可能に当接することにより、腕時計ケース１から外部に抜け出さないように構成されている。また、この操作軸部９は、その外周面に複数の防水リング１２が取り付けられ、これら複数の防水リング１２がケース本体２の小径孔７ａの内面に圧接した状態で摺動するように構成されている。
【００１７】
操作頭部１０は、図２に示すように、操作軸部９の外径よりも十分に大きく、かつベゼル３の大径孔７ｂの内径よりも小さいほぼ円板状に形成されている。この操作頭部１０の内端面には、その中心部に操作軸部９の外端部が位置した状態で、操作軸部９が一体に形成されている。また、この操作部材８は、操作頭部１０を腕時計ケース１の外部に向けて押し出す方向に付勢するばね部材１３を備えている。
【００１８】
このばね部材１３は、図２に示すように、コイルばねであり、腕時計ケース１のケース本体２と操作頭部１０との間に位置する操作軸部９の外周に配置されている。このばね部材１３は、その内端部がケース本体２の外面に設けられた座ぐり部２ｂに配置され、外端部が操作頭部１０の内端面に設けられた座ぐり部１０ａに配置され、この状態で操作頭部１０を腕時計ケース１の外部に向けて押し出す方向に付勢するように構成されている。
【００１９】
これにより、操作部材８は、図２に示すように、通常の状態で、ばね部材１３のばね力によって操作頭部１０が腕時計ケース１の外部に向けて押し出され、操作軸部９の内端部の抜止め部材１１が腕時計ケース１のケース本体２の内面に当接するように構成されている。この場合、操作部材８は、その操作軸部９の内端部が腕時計ケース１内の時計モジュール５に設けられたスイッチ接点板（図示せず）に接触または接近し、このスイッチ接点板をオフ状態にするように構成されている。
【００２０】
また、この操作部材８は、図２に示すように、ばね部材１３のばね力に抗して操作頭部１０が押込まれた際に、操作軸部９がケース本体２の小径孔７ａ内をスライドして、操作軸部９の内端部がケース本体２内に突出すように構成されている。この場合、操作部材８は、その操作軸部９の内端部が、時計モジュール５に設けられたスイッチ接点板（図示せず）を押圧してスイッチ動作させるように構成されている。
【００２１】
ところで、操作部材８の操作頭部１０とベゼル３との間には、図２に示すように、操作頭部１０を操作軸部９の軸方向に沿って移動可能に保持するガイド保護部１４が配置されている。このガイド保護部１４は、その外径がベゼル３の大径孔７ｂの内径とほぼ同じで、かつ内径が操作頭部１０の外径とほぼ同じ大きさの筒状に形成されている。このガイド保護部１４は、ケース本体２の外面から突出した状態で、ケース本体２に一体に形成されている。
【００２２】
この場合、ガイド保護部１４は、図２に示すように、その軸方向の長さが操作頭部１０の軸方向の長さとほぼ同じ長さに形成されている。これにより、操作頭部１０は、ばね部材１３のばね力によって腕時計ケース１の外部に向けて押し出された際に、操作頭部１０の外端部がガイド保護部１４の外端部よりも外部に突出するように構成されている。また、この操作頭部１０は、ばね部材１３のばね力に抗して腕時計ケース１の内部に向けて押し込まれた際に、操作頭部１０の外端部がガイド保護部１４の外端部とほぼ同じ位置になるように構成されている。
【００２３】
さらに、このガイド保護部１４の外周面には、図３に示すように、ケース本体２に対するベゼル３の剥離を防ぐための抜止め部１５が形成されている。この抜止め部１５は、ベゼル３の外面側に位置するガイド保護部１４の外端部側がベゼル３の大径孔７ｂの内面に向けて突出する長さが、ベゼル３の内面側に位置するガイド保護部１４の内端部側がベゼル３の大径孔７ｂの内面に向けて突出する長さよりも、長く形成されている。
【００２４】
これにより、抜止め部１５は、図３に示すように、アンダーカット形状をなす傾斜面に形成されている。このため、ガイド保護部１４の外周面に形成された抜止め部１５は、ケース本体２の外周面にベゼル３が装着された際に、抜止め部１５の外端部側が抜止め部１５の内端部側よりもベゼル３の大径孔７ｂの内面に食い込むことにより、ベゼル３がケース本体２から剥離するのを防ぐように構成されている。
【００２５】
次に、この腕時計のスイッチ装置６の作用について説明する。
このスイッチ装置６は、通常の状態のときに、ばね部材１３のばね力によって操作頭部１０が腕時計ケース１の外部に向けて押し出され、操作軸部９の内端部に設けられた抜止め部材１１が腕時計ケース１のケース本体２の内面に当接している。
【００２６】
このときには、操作部材８の操作頭部１０の外端部がガイド保護部１４の外端部よりも外部に突出している。また、この操作部材８は、操作軸部９の内端部が、腕時計ケース１内の時計モジュール５に設けられたスイッチ接点板（図示せず）に接触または接近し、スイッチ接点板がオフ状態になっている。
【００２７】
この状態で、操作頭部１０の外周方向、つまり操作頭部１０の軸方向と直交する方向から操作頭部１０に向けて衝撃が加わった際に、操作頭部１０がガイド保護部１４で囲われているので、操作頭部１０はほとんど衝撃を受けることはないが、ガイド保護部１４から外部に突出した個所の操作頭部１０が衝撃を受けると、操作頭部１０がガイド保護部１４の内周面に当接する。
【００２８】
このため、操作頭部１０が衝撃を受けても、操作頭部１０はその軸方向と直交する方向にほとんど変位することがない。これにより、操作軸部９がケース本体２の小径孔７ａの外端部を支点として、操作軸部９の軸方向と直交する方向に曲がることがないため、操作軸部９の曲がり変形や破損、あるいは操作軸部９の抜止め部材１１の脱落などを防ぐことができる。
【００２９】
この場合、操作頭部１０の外周方向、つまり操作頭部１０の軸方向と直交する方向から操作頭部１０に向けて衝撃が加わった際に、軟質の合成樹脂からなるベゼル３が操作頭部１０に向けて変形しても、そのベゼル３の変形による負荷がガイド保護部１４に加わる。このため、このガイド保護部１４によってベゼル３の変形による負荷を受け止めることができるので、これによっても操作頭部１０が衝撃を受けないようにすることができる。
【００３０】
また、このときには、ガイド保護部１４の外周面に形成された抜止め部１５によって、ケース本体２に対するベゼル３の剥離を防ぐことができる。すなわち、抜止め部１５は、アンダーカット形状をなす傾斜面に形成されているため、ケース本体２の外周面にベゼル３が装着された際に、抜止め部１５の外端部側が抜止め部１５の内端部側よりもベゼル３の大径孔７ｂの内面に食い込んでいるので、ベゼル３に衝撃が加わって、ベゼル３が変形しても、ベゼル３がケース本体２から剥離することがない。
【００３１】
一方、この操作部材８を操作してスイッチ動作をさせる場合には、ばね部材１３のばね力に抗して操作頭部１０を腕時計ケース１の内部に向けて押し込む。すると、操作軸部９がケース本体２の小径孔７ａ内をスライドして、操作軸部９の内端部がケース本体２内に突出する。これにより、操作部材８の操作軸部９の内端部が、時計モジュール５に設けられたスイッチ接点板（図示せず）を押圧してスイッチ動作させる。
【００３２】
このように、この腕時計のスイッチ装置６によれば、貫通孔７を有する腕時計ケース１と、この腕時計ケース１の貫通孔７に挿入された操作軸部９およびこの操作軸部９の外端部に設けられて腕時計ケース１の外部に突出する操作頭部１０を有する操作部材８と、腕時計ケース１に設けられ、操作頭部１０をその軸方向に沿って移動可能に保持するガイド保護部１４と、を備えていることにより、簡単な構造で、操作部材８を良好に保護することができる。
【００３３】
すなわち、このスイッチ装置６では、操作部材８の操作頭部１０を移動可能に保持するガイド保護部１４を腕時計ケース１に設けるだけの簡単な構造で、操作部材８の操作頭部１０が外部から衝撃を受けても、操作部材８の操作頭部１０がその軸方向と直交する方向に変位するのをガイド保護部１４によって確実に防ぐことができ、これにより衝撃による操作部材８の操作軸部９の曲がり変形や破損、あるいは操作軸部９の抜止め部材１１の脱落などを確実に防ぐことができるので、操作部材８を確実にかつ良好に保護することができる。
【００３４】
この場合、腕時計ケース１は、硬質の材料で形成されたケース本体２と、このケース本体２の外周面を覆う軟質の材料で形成されたベゼル３とを備えていることにより、腕時計ケース１が外部から衝撃を受けた際に、その衝撃を軟質材料のベゼル３で緩衝することができるので、耐衝撃性の高いものを提供することができる。
【００３５】
また、このスイッチ装置６では、ガイド保護部１４が操作部材８の操作頭部１０の外周面を覆う筒形状に形成され、かつケース本体２に一体に形成されていることにより、ガイド保護部１４を備えていても、部品点数が増加することがないので、組み立て作業が煩雑にならないばかりか、ケース本体２と同じ硬質の合成樹脂で形成されているので、ガイド保護部１４の強度を確保することができ、これにより操作部材８を確実にかつ良好に保護することができる。
【００３６】
この場合、ガイド保護部１４の外周面には、ケース本体２に対するベゼル３の剥離を防ぐための抜止め部１５が形成されていることにより、ベゼル３に衝撃が加わって、ベゼル３が変形しても、抜止め部１５によってベゼル３がケース本体２から剥離するのを確実に防ぐことができ、これによりベゼル３とガイド保護部１４との間からゴミが侵入するのを防ぐこともできる。
【００３７】
すなわち、この抜止め部１５は、アンダーカット形状をなす傾斜面に形成されているため、ケース本体２の外周面にベゼル３が装着された際に、抜止め部１５の外端部側を、抜止め部１５の内端部側よりもベゼル３の大径孔７ｂの内面に食い込ませることができるので、ベゼル３が衝撃などによって変形しても、ベゼル３がケース本体２から剥離するのを確実にかつ良好に防ぐことができ、これによりベゼル３のねじ止め個所を削減することができる。
【００３８】
なお、上述した第１実施形態では、腕時計ケース１の貫通孔７に操作部材８を直接取り付けると共に、この腕時計ケース１のケース本体２にガイド保護部１４を一体に形成した場合について述べたが、これに限らず、例えば図４に示す第１変形例のように、腕時計ケース１の貫通孔７に筒状部材１７を取り付け、この筒状部材１７に操作部材８を取り付けると共に、この筒状部材１７にガイド保護部１８を一体に形成するように構成しても良い。
【００３９】
すなわち、この筒状部材１７は、ステンレスなどの剛性の高い金属からなり、図４に示すように、腕時計ケース１の貫通孔７の一部であるケース本体２の小径孔７ａに嵌め込まれる小径筒部１７ａと、腕時計ケース１の貫通孔７の他の一部であるベゼル３の大径孔７ｂに対応する鍔部１７ｂとを有している。この場合、小径筒部１７ａは、その外周面に複数の防水リング１７ｃが設けられ、これら複数の防水リング１７ｃがケース本体２の小径孔７ａの内周面に圧接した状態で取り付けられるように構成されている。
【００４０】
また、ガイド保護部１８は、図４に示すように、筒状部材１７の鍔部１７ｂにケース本体２から外部に向けて突出した状態で一体に形成された筒状部であり、第１実施形態と同様、操作部材８の操作頭部１０とベゼル３との間に配置されて、操作頭部１０を操作軸部９の軸方向に沿って移動可能に保持するように構成されている。
【００４１】
この場合にも、ガイド保護部１８は、図４に示すように、その軸方向の長さが操作頭部１０の軸方向の長さとほぼ同じ長さに形成されている。また、筒状部材１７の鍔部１７ｂと操作頭部１０との間には、第１実施形態と同様、ばね部材１３が配置されている。これにより、操作頭部１０は、ばね部材１３のばね力によって腕時計ケース１の外部に向けて押し出された際に、操作頭部１０の外端部がガイド保護部１８の外端部よりも外部に突出するように構成されている。
【００４２】
また、この操作頭部１０は、ばね部材１３のばね力に抗して腕時計ケース１の内部に向けて押し込まれた際に、操作頭部１０の外端部がガイド保護部１８の外端部とほぼ同じ位置になるように構成されている。さらに、このガイド保護部１８の外周面には、第１実施形態と同様、ケース本体２に対するベゼル３の剥離を防ぐための抜止め部（図示せず）が形成されている。
【００４３】
このような第１変形例のスイッチ装置６によれば、第１実施形態と同様の作用効果があるほか、筒状部材１７がステンレスなどの剛性の高い金属で形成されていることにより、この筒状部材１７に一体に形成されたガイド保護部１８の強度を第１実施形態のものよりも高めることができるので、第１実施形態のものよりも、より一層、耐衝撃性の高いものを提供することができる。
【００４４】
なおまた、上述した第１実施形態およびその第１変形例では、ガイド保護部１４および１８の外周面に設けられた抜止め部１５がアンダーカット形状の傾斜面に形成されている場合について述べたが、必ずしも抜止め部はアンダーカット形状の傾斜面である必要はなく、例えば波型形状などの凹凸形状に形成されていても良い。
【００４５】
（第２実施形態）
次に、図５を参照して、この発明を適用した腕時計の第２実施形態について説明する。なお、図１〜図３に示された第１実施形態と同一部分には同一符号を付して説明する。
この腕時計は、図５に示すように、操作部材８の操作頭部２０の構造が第１実施形態と異なり、これに伴ってガイド保護部２１が第１実施形態と異なる構成になっており、これ以外は第１実施形態とほぼ同じ構成になっている。
【００４６】
この場合、操作軸部９は、図５に示すように、その内端部が腕時計ケース１のケース本体２の内部に突出し、外端部が腕時計ケース１のベゼル３内に位置する長さに形成されている。この操作軸部９の内端部には、第１実施形態と同様、Ｅリングなどの抜止め部材１１が取り付けられている。また、この操作軸部９の外周面には、複数の防水リング１２が取り付けられている。
【００４７】
操作頭部２０は、図５に示すように、ガイド溝２０ａを有するほぼキャップ形状に形成されている。この操作頭部２０は、その外径がベゼル３の大径孔７ｂの内径と同じか、それよりも少し小さく形成されている。この操作頭部２０の内端面には、その中心部に操作軸部９の外端部が位置した状態で、操作軸部９が一体に形成されている。また、この操作頭部２０の内端面には、ガイド溝２０ａが環状に形成されている。
【００４８】
このガイド溝２０ａは、図５に示すように、操作軸部９の外周に沿って同心円状に形成されている。また、このガイド溝２０ａは、操作頭部２０の軸方向の深さが操作頭部２０の軸方向の長さよりも少し浅い深さに形成されている。また、この場合にも、操作部材８は、第１実施形態と同様、操作頭部２０を腕時計ケース１の外部に向けて押し出す方向に付勢するばね部材１３を備えている。
【００４９】
これにより、操作部材８は、図５に示すように、通常の状態で、ばね部材１３のばね力によって操作頭部２０が腕時計ケース１の外部に向けて押し出され、操作軸部９の内端部の抜止め部材１１が腕時計ケース１のケース本体２の内面に当接するように構成されている。この場合、操作部材８は、その操作軸部９の内端部が腕時計ケース１内の時計モジュール５に設けられたスイッチ接点板（図示せず）に接触または接近し、このスイッチ接点板をオフ状態にするように構成されている。
【００５０】
また、この操作部材８は、図５に示すように、ばね部材１３のばね力に抗して操作頭部２０が押込まれた際に、操作軸部９がケース本体２の小径孔７ａ内をスライドして、操作軸部９の内端部がケース本体２内に突出すように構成されている。この場合、操作部材８は、その操作軸部９の内端部が、時計モジュール５に設けられたスイッチ接点板（図示せず）を押圧してスイッチ動作させるように構成されている。
【００５１】
ところで、ガイド保護部２１は、図５に示すように、操作部材８の操作頭部２０に設けられたガイド溝２０ａ内に操作軸部９の軸方向に沿って移動可能に挿入されて、操作頭部２０を保持するように構成されている。すなわち、このガイド保護部２１は、操作頭部２０のガイド溝２０ａとほぼ同じ大きさの筒状に形成されている。
【００５２】
また、このガイド保護部２１は、図５に示すように、ケース本体２の外面から突出した状態で、ケース本体２に一体に形成されている。この場合、ガイド保護部２１は、その軸方向の長さが操作頭部２０のガイド溝２０ａの深さ、つまり操作頭部２０の軸方向におけるガイド溝２０ａの長さとほぼ同じ長さに形成されている。
【００５３】
これにより、操作頭部２０は、ばね部材１３のばね力によって腕時計ケース１の外部に向けて押し出された際に、ガイド保護部２１のほぼ半分程度がガイド溝２０ａ内に挿入するように構成されている。また、この操作頭部２０は、ばね部材１３のばね力に抗して腕時計ケース１の内部に向けて押し込まれた際に、ガイド保護部１４のほぼ全体がガイド溝２０ａ内に挿入するように構成されている。
【００５４】
次に、この第２実施形態における腕時計のスイッチ装置６の作用について説明する。
このスイッチ装置６は、第１実施形態と同様、通常の状態のときに、ばね部材１３のばね力によって操作頭部２０が腕時計ケース１の外部に向けて押し出され、操作軸部９の内端部の抜止め部材１１が腕時計ケース１のケース本体２の内面に当接している。
【００５５】
このときには、操作部材８の操作頭部２０の外端部が腕時計ケース１の外端面、つまりベゼル３の大径孔７ｂの外端面よりも外部に突出している。このため、ガイド保護部２１は、その外端部側のほぼ半分程度が操作頭部２０のガイド溝２０ａ内に挿入された状態になっている。また、この操作部材８は、操作軸部９の内端部が、腕時計ケース１内の時計モジュール５に設けられたスイッチ接点板（図示せず）に接触または接近し、スイッチ接点板がオフ状態になっている。
【００５６】
この状態で、操作頭部２０の外周方向、つまり操作頭部２０の軸方向と直交する方向から操作頭部２０に向けて衝撃が加わった際に、操作頭部２０のガイド溝２０ａ内にガイド保護部２１のほぼ半分程度が挿入されているので、このガイド溝２０ａ内に挿入されているガイド保護部２１の外周面に、操作頭部２０のガイド溝２０ａの内周面が当接する。
【００５７】
このため、操作頭部２０が衝撃を受けても、操作頭部２０はその軸方向と直交する方向にほとんど変位することがない。これにより、操作軸部９がケース本体２の小径孔７ａの外端部を支点として、操作軸部９の軸方向と直交する方向に曲がることがない。このため、操作軸部９の曲がり変形や破損、あるいは操作軸部９の抜止め部材１１の脱落などを防ぐことができる。
【００５８】
この場合、操作頭部２０の外周方向、つまり操作頭部２０の軸方向と直交する方向から操作頭部２０に向けて衝撃が加わった際に、軟質の合成樹脂からなるベゼル３が操作頭部２０に向けて変形することがあり、このときには、ベゼル３の変形による負荷が操作頭部２０の外周面に加わる。しかし、このときにも、ガイド保護部２１によって操作頭部１０がほとんど変位することがない。このため、操作軸部９の曲がり変形や破損、あるいは操作軸部９の抜止め部材１１の脱落などを防ぐことができる。
【００５９】
一方、この操作部材８を操作してスイッチ動作をさせる場合には、ばね部材１３のばね力に抗して操作頭部２０を腕時計ケース１の内部に向けて押し込む。すると、操作頭部２０のガイド溝２０ａ内にガイド保護部２１が相対的に挿入するので、操作軸部９がケース本体２の小径孔７ａ内をスライドして、操作軸部９の内端部がケース本体２内に突出する。これにより、操作部材８の操作軸部９の内端部が、時計モジュール５に設けられたスイッチ接点板（図示せず）を押圧してスイッチ動作させる。
【００６０】
このように、この第２実施形態における腕時計のスイッチ装置６によれば、第１実施形態と同様、操作部材８の操作頭部２０をその軸方向に沿って移動可能に保持するガイド保護部２１を、腕時計ケース１に設けるだけの簡単な構造で、操作部材８の操作頭部２０が外部から衝撃を受けても、操作頭部２０がその軸方向と直交する方向に変位するのをガイド保護部２１によって確実に防ぐことができる。これにより、衝撃による操作部材８の操作軸部９の曲がり変形、あるいは操作軸部９の抜止め部材１１の脱落などを確実に防ぐことができるので、操作部材８を確実にかつ良好に保護することができる。
【００６１】
すなわち、このスイッチ装置６では、操作部材８の操作頭部２０が、ケース本体２側に位置する内側面にガイド溝２０ａが環状に形成され、ガイド保護部２１が操作頭部２０のガイド溝２０ａ内に移動可能に挿入して操作頭部２０を保持する筒形状に形成されているので、操作部材８を確実にかつ良好に保護することができるほか、ガイド保護部２１が腕時計ケース１の外部から見えないように隠すことができ、これにより外観的にもデザイン的にも好ましいものを提供することができる。
【００６２】
また、このスイッチ装置６では、ガイド保護部２１がケース本体２に一体に形成されていることにより、第１実施形態と同様、ガイド保護部２１を備えていても、部品点数が増加することがないので、組み立て作業が煩雑にならないばかりか、ケース本体２と同じ硬質の合成樹脂で形成されているので、ガイド保護部２１の強度を確保することができ、これにより操作部材８を確実にかつ良好に保護することができる。
【００６３】
なお、上述した第２実施形態では、腕時計ケース１の貫通孔７に操作部材８を直接取り付けると共に、この腕時計ケース１のケース本体２にガイド保護部２１を一体に形成した場合について述べたが、これに限らず、例えば図６に示す第２変形例のように、腕時計ケース１の貫通孔７に筒状部材２５を取り付け、この筒状部材２５に操作部材８を取り付けると共に、この筒状部材２５にガイド保護部２６を一体に形成するように構成しても良い。
【００６４】
この場合にも、筒状部材２５は、ステンレスなどの剛性の高い金属からなり、図６に示すように、腕時計ケース１の貫通孔７の一部であるケース本体２の小径孔７ａに嵌め込まれる小径筒部２５ａと、腕時計ケース１の貫通孔７の他の一部であるベゼル３の大径孔７ｂに対応する鍔部２５ｂとを有している。この場合、小径筒部２５ａは、その外周面に複数の防水リング２５ｃが設けられ、これら複数の防水リング２５ｃがケース本体２の小径孔７ａの内周面に圧接した状態で取り付けられるように構成されている。
【００６５】
また、ガイド保護部２６は、図６に示すように、筒状部材２５の鍔部２５ｂにケース本体２から外部に向けて突出した状態で一体に形成された筒状部であり、第２実施形態と同様、操作部材８の操作頭部２０に設けられたガイド溝２０ａ内に挿入されて、操作頭部２０を操作軸部９の軸方向に沿って移動可能に保持するように構成されている。
【００６６】
この場合にも、ガイド保護部２６は、図６に示すように、その軸方向の長さが操作頭部２０のガイド溝２０ａの深さ、つまりガイド溝２０ａの軸方向の長さとほぼ同じ長さに形成されている。また、筒状部材２５の鍔部２５ｂと操作頭部２０との間には、第２実施形態と同様、ばね部材１３が配置されている。
【００６７】
これにより、操作頭部２０は、図６に示すように、ばね部材１３のばね力によって腕時計ケース１の外部に向けて押し出された際に、ガイド保護部２６の外端部側のほぼ半分程度が操作頭部２０のガイド溝２０ａ内に挿入するように構成されている。また、この操作頭部２０は、ばね部材１３のばね力に抗して腕時計ケース１の内部に向けて押し込まれた際に、ガイド保護部１８のほぼ全部が操作頭部２０のガイド溝２０ａ内に挿入するように構成されている。
【００６８】
このような第２変形例のスイッチ装置６によれば、第２実施形態と同様の作用効果があるほか、筒状部材２５がステンレスなどの剛性の高い金属で形成されていることにより、この筒状部材２５に一体に形成されたガイド保護部２６の強度を第２実施形態のものよりも高めることができるので、第２実施形態のものよりも、耐衝撃性の高いものを提供することができる。
【００６９】
なおまた、上述した第１、第２の各実施形態およびその各変形例では、押釦式のスイッチ装置６に適用した場合について述べたが、これに限らず、例えば竜頭などの巻真を備えたスイッチ装置にも適用することができる。
【００７０】
また、上述した第１、第２の各実施形態およびその各変形例では、腕時計に適用した場合について述べたが、必ずしも腕時計である必要はなく、例えばトラベルウオッチ、目覚まし時計、置き時計、掛け時計などの各種の時計に適用することができるほか、スイッチ装置を備えた電子機器にも広く適用することができる。
【００７１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７２】
（付記）
請求項１に記載の発明は、貫通孔を有するケースと、このケースの前記貫通孔に挿入される軸部およびこの軸部の端部に設けられて前記ケースの外部に突出する頭部を有する操作部材と、前記ケースに対して設けられ、前記頭部を前記軸部の軸方向に沿って移動可能に保持するガイド保護部と、を備えていることを特徴とするスイッチ装置である。
【００７３】
請求項２に記載の発明は、請求項１に記載のスイッチ装置において、前記ケースは、硬質の材料で形成されたケース本体と、このケース本体の外周面を覆う軟質の材料で形成されたベゼルとを備えていることを特徴とするスイッチ装置である。
【００７４】
請求項３に記載の発明は、請求項１または請求項２に記載のスイッチ装置において、前記ガイド保護部は、前記操作部材の前記頭部の外周面を覆う筒形状に形成され、かつ前記ケース本体に一体に形成されていることを特徴とするスイッチ装置である。
【００７５】
請求項４に記載の発明は、請求項２または請求項３に記載のスイッチ装置において、前記ガイド保護部の外周面には、前記ケース本体に対する前記ベゼルの剥離を防ぐための抜止め部が形成されていることを特徴とするスイッチ装置である。
【００７６】
請求項５に記載の発明は、請求項１または請求項２に記載のスイッチ装置において、前記操作部材の前記頭部は、前記ケース本体側に位置する内側面にガイド溝が環状に形成され、前記ガイド保護部は、前記頭部の前記ガイド溝内に移動可能に挿入して前記頭部を保持する筒形状に形成され、かつ前記ケース本体に一体に形成されていることを特徴とするスイッチ装置である。
【００７７】
請求項６に記載の発明は、請求項１または請求項２に記載のスイッチ装置において、前記ケースの前記貫通孔内には筒状部材が取り付けられており、この筒状部材には、前記操作部材の前記軸部が挿入されていると共に、前記ガイド保護部が一体に形成されていることを特徴とするスイッチ装置である。
【００７８】
請求項７に記載の発明は、請求項１〜請求項６のいずれかに記載のスイッチ装置を備えていることを特徴とする時計である。
【符号の説明】
【００７９】
１  腕時計ケース
２  ケース本体
３  ベゼル
５  時計モジュール
６  スイッチ装置
７  貫通孔
７ａ  小径孔
７ｂ  大径孔
８  操作部材
９  操作軸部
１０、２０  操作頭部
１３  ばね部材
１４、１８、２１、２６  ガイド保護部
１５  抜止め部
１７、２５  筒状部材
２０ａ  ガイド溝
【図１】
0005839294.tif 000002
【図２】
0005839294.tif 000003
【図３】
0005839294.tif 000004
【図４】
0005839294.tif 000005
【図５】
0005839294.tif 000006
【図６】
0005839294.tif 000007